(57)【特許請求の範囲】
【請求項１】
音響空間内に設置されたスピーカと、
前記スピーカから所定の測定音を出力したときに、前記スピーカから離間した位置に配置された携帯端末装置に備わったマイクロホンにより集音された音の特性情報を、前記携帯端末装置の姿勢を異ならせて各姿勢に対応させて取得する特性取得手段と、
前記特性取得手段によって取得した２種類の特性情報の差分を算出する差分算出手段と、
前記携帯端末装置との位置関係が既知である音源から測定音を出力した状態で、前記携帯端末装置の姿勢を変更しながら、前記携帯端末装置に備わった前記マイクロホンにより集音された音の特性情報を測定し、２つの姿勢に対応した前記特性情報の差分を算出する処理を、前記２つの姿勢の組み合わせを変更して行った結果を格納した差分データ格納手段と、
前記差分算出手段によって算出された差分データに最も近い差分データを前記差分データ格納手段から検索する差分データ検索手段と、
前記差分データ検索手段によって検索された差分データに対応して既知の位置関係を有する前記音源の方向を特定する音源方向特定手段と、
前記音源方向特定手段によって特定された前記音源の方向に基づいて、前記最も近い差分データに対応する特性情報を特定し、この特性情報を用いて、前記音響空間内に配置された前記携帯端末装置を聴取位置としたときのその位置での音響特性を決定する音響特性決定手段と、
を備えることを特徴とする音響特性測定装置。
【請求項２】
請求項１において、
前記差分データ格納手段に格納された差分データの算出を行うために行われた前記特性情報の測定は無響室において行われることを特徴とする音響特性測定装置。
【請求項３】
請求項２において、
前記スピーカから出力される前記測定音と、前記差分データ格納手段に格納された差分データの算出を行うために用いられる前記測定音は、可聴帯域内の全ての周波数成分を含んでいることを特徴とする音響特性測定装置。
【請求項４】
請求項１〜３のいずれか一項において、
前記音響特性決定手段によって決定された音響特性に基づいて、前記スピーカから出力するオーディオ音に対する補正特性を決定する補正特性決定手段をさらに備えることを特徴とする音響特性測定装置。
【請求項５】
請求項４において、
前記特性情報は、周波数特性であることを特徴とする音響特性測定装置。
【請求項６】
請求項５において、
前記補正特性は、前記スピーカから前記聴取位置に到達するまでに発生する周波数成分の減衰分を補償する特性であることを特徴とする音響特性測定装置。
【請求項７】
請求項１〜６のいずれかにおいて、
前記スピーカから出力される前記測定音が前記携帯端末装置に到達するまでの所要時間を取得し、この所要時間に基づいて前記スピーカから前記携帯端末装置までの距離を算出する距離算出手段と、
前記距離算出手段によって算出された距離と、前記音源方向特定手段によって特定された前記音源の方向とに基づいて前記聴取位置を決定する聴取位置決定手段と、
をさらに備えることを特徴とする音響特性測定装置。
【請求項８】
請求項１〜７のいずれか一項において、
前記音響空間は、車両の室内空間であることを特徴とする音響特性測定装置。
【請求項９】
請求項１〜７のいずれか一項において、
前記音響空間は、屋内の室内空間であることを特徴とする音響特性測定装置。
【請求項１０】
音響空間内に設置されたスピーカから所定の測定音を出力したときに、前記スピーカから離間した位置に配置された携帯端末装置に備わったマイクロホンにより集音された音の特性情報を、前記携帯端末装置の姿勢を異ならせて各姿勢に対応させて特性取得手段によって取得するステップと、
前記特性取得手段によって取得した２種類の特性情報の差分を差分算出手段によって算出するステップと、
前記携帯端末装置との位置関係が既知である音源から測定音を出力した状態で、前記携帯端末装置の姿勢を変更しながら、前記携帯端末装置に備わった前記マイクロホンにより集音された音の特性情報を測定し、２つの姿勢に対応した前記特性情報の差分を算出する処理を、前記２つの姿勢の組み合わせを変更しながら行った結果を格納した差分データ格納手段を用いるステップであって、前記差分算出手段によって算出された差分データに最も近い差分データを前記差分データ格納手段から差分データ検索手段によって検索するステップと、
前記差分データ検索手段によって検索された差分データに対応して既知の位置関係を有する前記音源の方向を音源方向特定手段によって特定するステップと、
前記音源方向特定手段によって特定された前記音源の方向に基づいて、前記最も近い差分データに対応する特性情報を特定し、この特性情報を用いて、前記音響空間内に配置された前記携帯端末装置を聴取位置としたときのその位置での音響特性を音響特性決定手段によって決定するステップと、
を有することを特徴とする音響特性測定方法。
【請求項１１】
コンピュータを、
音響空間内に設置されたスピーカから所定の測定音を出力したときに、前記スピーカから離間した位置に配置された携帯端末装置に備わったマイクロホンにより集音された音の特性情報を、前記携帯端末装置の姿勢を異ならせて各姿勢に対応させて取得する特性取得手段と、
前記特性取得手段によって取得した２種類の特性情報の差分を算出する差分算出手段と、
前記携帯端末装置との位置関係が既知である音源から測定音を出力した状態で、前記携帯端末装置の姿勢を変更しながら、前記携帯端末装置に備わった前記マイクロホンにより集音された音の特性情報を測定し、２つの姿勢に対応した前記特性情報の差分を算出する処理を、前記２つの姿勢の組み合わせを変更して行った結果を格納した差分データ格納手段を用いて、前記差分算出手段によって算出された差分データに最も近い差分データを前記差分データ格納手段から検索する差分データ検索手段と、
前記差分データ検索手段によって検索された差分データに対応して既知の位置関係を有する前記音源の方向を特定する音源方向特定手段と、
前記音源方向特定手段によって特定された前記音源の方向に基づいて、前記最も近い差分データに対応する特性情報を特定し、この特性情報を用いて、前記音響空間内に配置された前記携帯端末装置を聴取位置としたときのその位置での音響特性を決定する音響特性決定手段と、
して機能させるための音響特性測定プログラム。
【発明の詳細な説明】
【技術分野】
【０００１】
本発明は、車室内等における利用者の聴取位置での音響特性を測定する音響特性測定装置、方法およびプログラムに関する。
【背景技術】
【０００２】
従来から、車室内に配置された携帯電話機のマイク部を利用して音響特性の測定を行うようにした車載システムが知られている（例えば、特許文献１参照。）。携帯電話機のマイク部を利用することにより、車両の運転席以外の任意の場所においても音の測定データを取得することができ、この場所での心地よい音を提供できるようになる。
【先行技術文献】
【特許文献】
【０００３】
【特許文献１】特許第４４０７５７１号公報
【発明の概要】
【発明が解決しようとする課題】
【０００４】
ところで、特許文献１に開示された車載システムのように音響特性の測定に携帯電話機のマイク部を用いる場合に、マイク部自身の指向性や携帯電話機の筐体による影響などがあるため、携帯電話機の向きによる音の測定結果のばらつきが大きく、携帯電話機（携帯端末装置）を用いた音響特性の測定精度が低下するという問題があった。
【０００５】
本発明は、このような点に鑑みて創作されたものであり、その目的は、携帯端末装置の向きに起因する音響特性の測定精度の低下を抑制することができる音響特性測定装置、方法およびプログラムを提供することにある。
【課題を解決するための手段】
【０００６】
上述した課題を解決するために、本発明の音響特性測定装置は、音響空間内に設置されたスピーカと、スピーカから所定の測定音を出力したときに、スピーカから離間した位置に配置された携帯端末装置に備わったマイクロホンにより集音された音の特性情報を、携帯端末装置の姿勢を異ならせて各姿勢に対応させて取得する特性取得手段と、特性取得手段によって取得した２種類の特性情報の差分を算出する差分算出手段と、携帯端末装置との位置関係が既知である音源から測定音を出力した状態で、携帯端末装置の姿勢を変更しながら、携帯端末装置に備わったマイクロホンにより集音された音の特性情報を測定し、２つの姿勢に対応した特性情報の差分を算出する処理を、２つの姿勢の組み合わせを変更して行った結果を格納した差分データ格納手段と、差分算出手段によって算出された差分データに最も近い差分データを差分データ格納手段から検索する差分データ検索手段と、差分データ検索手段によって検索された差分データに対応して既知の位置関係を有する音源の方向を特定する音源方向特定手段と、音源方向特定手段によって特定された音源の方向に基づいて、最も近い差分データに対応する特性情報を特定し、この特性情報を用いて、音響空間内に配置された携帯端末装置を聴取位置としたときのその位置での音響特性を決定する音響特性決定手段とを備えている。
【０００７】
また、本発明の音響特性測定方法は、音響空間内に設置されたスピーカから所定の測定音を出力したときに、スピーカから離間した位置に配置された携帯端末装置に備わったマイクロホンにより集音された音の特性情報を、携帯端末装置の姿勢を異ならせて各姿勢に対応させて特性取得手段によって取得するステップと、特性取得手段によって取得した２種類の特性情報の差分を差分算出手段によって算出するステップと、携帯端末装置との位置関係が既知である音源から測定音を出力した状態で、携帯端末装置の姿勢を変更しながら、携帯端末装置に備わったマイクロホンにより集音された音の特性情報を測定し、２つの姿勢に対応した特性情報の差分を算出する処理を、２つの姿勢の組み合わせを変更しながら行った結果を格納した差分データ格納手段を用いるステップであって、差分算出手段によって算出された差分データに最も近い差分データを差分データ格納手段から差分データ検索手段によって検索するステップと、差分データ検索手段によって検索された差分データに対応して既知の位置関係を有する音源の方向を音源方向特定手段によって特定するステップと、音源方向特定手段によって特定された音源の方向に基づいて、最も近い差分データに対応する特性情報を特定し、この特性情報を用いて、音響空間内に配置された携帯端末装置を聴取位置としたときのその位置での音響特性を音響特性決定手段によって決定するステップとを有している。
【０００８】
また、本発明の音響特性測定プログラムは、コンピュータを、音響空間内に設置されたスピーカから所定の測定音を出力したときに、スピーカから離間した位置に配置された携帯端末装置に備わったマイクロホンにより集音された音の特性情報を、携帯端末装置の姿勢を異ならせて各姿勢に対応させて取得する特性取得手段と、特性取得手段によって取得した２種類の特性情報の差分を算出する差分算出手段と、携帯端末装置との位置関係が既知である音源から測定音を出力した状態で、携帯端末装置の姿勢を変更しながら、携帯端末装置に備わったマイクロホンにより集音された音の特性情報を測定し、２つの姿勢に対応した特性情報の差分を算出する処理を、２つの姿勢の組み合わせを変更して行った結果を格納した差分データ格納手段を用いて、差分算出手段によって算出された差分データに最も近い差分データを差分データ格納手段から検索する差分データ検索手段と、差分データ検索手段によって検索された差分データに対応して既知の位置関係を有する音源の方向を特定する音源方向特定手段と、音源方向特定手段によって特定された音源の方向に基づいて、最も近い差分データに対応する特性情報を特定し、この特性情報を用いて、音響空間内に配置された携帯端末装置を聴取位置としたときのその位置での音響特性を決定する音響特性決定手段として機能させる。
【０００９】
特に、上述した差分データ格納手段に格納された差分データの算出を行うために行われた特性情報の測定は無響室において行われることが望ましい。
【００１０】
携帯端末装置のマイクロホンで集音した音の特性情報の２つの姿勢間の差分を算出し、携帯端末装置との位置関係が既知である音源を用いた同種の差分データの中から近いものを抽出することにより、音響空間内に配置された携帯端末装置に対する音源（スピーカ）の方向を特定することができるため、マイクロホンの指向性による影響を取り除くことができ、携帯端末装置の向きに起因する音響特性の測定精度の低下を抑制することができる。
【００１１】
また、上述したスピーカから出力される測定音と、差分データ格納手段に格納された差分データの算出を行うために用いられる測定音は、可聴帯域内の全ての周波数成分を含んでいることが望ましい。これにより、音源の方向がわかったときに、携帯端末装置の向きによって変化する特性（指向性）を無響室での測定結果から得ることができるため、携帯端末装置に組み込まれたマイクロホンの実際の指向性を知ることができ、携帯端末装置の向きに起因する音響特性の測定精度の低下をさらに抑制することができる。
【００１２】
また、上述した音響特性決定手段によって決定された音響特性に基づいて、スピーカから出力するオーディオ音に対する補正特性を決定する補正特性決定手段をさらに備えることが望ましい。特に、上述した特性情報は、周波数特性であることが望ましい。また、上述した補正特性は、スピーカから聴取位置に到達するまでに発生する周波数成分の減衰分を補償する特性であることが望ましい。これにより、聴取位置において理想的な音響特性を実現することが可能となる。
【００１３】
また、上述したスピーカから出力される測定音が携帯端末装置に到達するまでの所要時間を取得し、この所要時間に基づいてスピーカから携帯端末装置までの距離を算出する距離算出手段と、距離算出手段によって算出された距離と、音源方向特定手段によって特定された音源の方向とに基づいて聴取位置を決定する聴取位置決定手段とをさらに備えることが望ましい。これにより、指向性を有する携帯端末装置のマイクロホンを用いた場合であっても、正確な聴取位置を求めることが可能となる。
【００１４】
また、上述した音響空間は、車両の室内空間であることが望ましい。あるいは、上述した音響空間は、屋内の室内空間であることが望ましい。これにより、車両や屋内における反射等の影響を取り除いた聴取位置での音響特性を精度よく求めることができる。
【図面の簡単な説明】
【００１５】
【図１】一実施形態の車載システムの構成を示す図である。
【図２】携帯端末装置の構成を示す図である。
【図３】車載装置で用いられる差分データベースの作成方法を示す図である。
【図４】一組の周波数特性を示す図である。
【図５】図４に示した一組の周波数特性の差分を示す図である。
【図６】車載装置において音響特性を決定する動作手順を示す流れ図である。
【図７】携帯端末装置の動作手順を示す流れ図である。
【図８】聴取位置決定に必要な車載装置内の制御部の変形例を示す図である。
【図９】聴取位置決定に必要な携帯端末装置内の制御部の変形例を示す図である。
【図１０】聴取位置までの距離算出に必要な車載装置の動作手順を示す流れ図である。
【図１１】聴取位置までの距離算出に必要な携帯端末装置の動作手順を示す流れ図である。
【図１２】位相特性の一例を示す図である。
【図１３】２つの位相特性の差分を算出した結果を示す図である。
【発明を実施するための形態】
【００１６】
以下、本発明を適用した一実施形態の車載システムについて、図面を参照しながら説明する。図１は、一実施形態の車載システムの構成を示す図である。図１に示すように、本実施形態の車載システムは、車載装置１と携帯端末装置９０を含んで構成されている。
【００１７】
車載装置１は、ナビゲーション処理部１０、オーディオ処理部２０、スピーカ２２ＦＲ、２２ＦＬ、２２ＲＲ、２２ＲＬ、操作部３０、入力制御部３２、表示処理部３４、表示装置３６、ハードディスク装置（ＨＤＤ）４０、制御部５０、ブルートゥース（登録商標）・インタフェース部（ＢＴ  ＩＦ）７０を備えている。
【００１８】
ナビゲーション処理部１０は、ハードディスク装置４０に記憶されている地図データを用いて車載装置１が搭載された車両の走行を案内するナビゲーション動作を行う。自車位置を検出するＧＰＳ装置１２とともに用いられ、車両の走行を案内するナビゲーション動作には、地図表示、経路探索・誘導のほかに周辺施設やＰＯＩ（Point Of Interest）を検索して表示する動作などが含まれる。なお、自車位置検出は、ＧＰＳ１２の他にジャイロセンサや車速センサ等の自律航法センサを組み合わせて用いるようにしてもよい。
【００１９】
オーディオ処理部２０は、圧縮されてハードディスク装置４０に記憶されている音楽データ等を読み出して再生する処理を行う。なお、音楽データ等は、ディスク読取装置（図示せず）を用いてＣＤやＤＶＤから読み取ったものを用いたり、携帯端末装置９０等から送られてくるものをブルートゥース・インタフェース部７０経由で受信して用いるようにしてもよい。本実施形態では、車内の前後左右の４箇所に４つのスピーカ、具体的には、運転席の右前にスピーカ２２ＦＲが、助手席の左前にスピーカ２２ＦＬが、後部座席の右後ろにスピーカ２２ＲＲが、後部座席の左後ろにスピーカ２２ＲＬが設置されている。これら４つのスピーカ２２ＦＲ、２２ＦＬ、２２ＲＲ、２２ＲＬには、オーディオ処理部２０から複数の聴取位置を考慮して互いに音圧や出力タイミング、位相などが制御されたオーディオ信号が入力され、各聴取位置において所定の音場が実現される。なお、スピーカの数は４以外であってもよい。
【００２０】
操作部３０は、車載装置１に対する利用者による操作を受け付けるためのものであり、表示装置３６の周囲に配置された各種の操作キー、操作スイッチ、操作つまみ等を含んで構成されている。また、表示装置３６に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネルが操作部３０の一部として備わっている。なお、タッチパネルを用いる代わりに、リモートコントロールユニット等を用いて操作画面や入力画面の一部を利用者の指示に応じて選択するようにしてもよい。入力制御部３２は、操作部３０を監視しており、その操作内容を決定する。
【００２１】
表示処理部３４は、各種の操作画面や入力画面等を表示する映像信号を出力して表示装置３６にこれらの画面を表示するとともに、ナビゲーション処理部１０によるナビゲーション動作によって作成された地図画像等を表示する映像信号を出力して表示装置３６にこれらの画面を表示する。表示装置３６は、運転席と助手席の中央前方に設置されており、例えば液晶表示装置（ＬＣＤ）を用いて構成されている。
【００２２】
制御部５０は、車載装置１の全体を制御するためのものであり、ＲＯＭやＲＡＭなどに格納された所定のプログラムをＣＰＵで実行することにより実現される。ブルートゥース・インタフェース部７０は、ブルートゥースによって車載装置１と携帯端末装置９０等との間で各種データの送受信を行う通信装置（ブルートゥース機器）である。
【００２３】
また、上述した制御部５０は、周囲のブルートゥース機器の検索やペアリングを行うとともに、車室内に配置された携帯端末装置９０の位置を聴取位置としたときにこの聴取位置における音響特性の測定等を行うために、ＢＴ（ブルートゥース）処理部５１、測定音出力部５２、情報取得部５３、差分算出部５４、データベース（ＤＢ）検索部５５、音源方向特定部５６、マイク指向性補正部５７、音響特性決定部５８、補正特性決定部５９を有する。
【００２４】
ＢＴ処理部５１は、携帯端末装置９０との間でブルートゥースによるデータの送受信を行うために必要な設定、例えばペアリング設定などを行う。
【００２５】
測定音出力部５２は、携帯端末装置９０において音の特性情報を作成するために所定の測定音をスピーカから出力する。例えば、この測定音は、可聴帯域内の全ての周波数成分を含んでおり、スピーカ２２ＦＲから出力される。
【００２６】
情報取得部５３は、スピーカ２２ＦＲから測定音を出力したときに、スピーカ２２ＦＲから離間した位置に配置された携帯端末装置９０に備わったマイクロホンにより集音された音の特性情報を、携帯端末装置９０の姿勢を異ならせて各姿勢に対応させて取得する。具体的には、この特性情報としては、周波数特性が用いられる。
【００２７】
差分算出部５４は、情報取得部５３によって取得した２種類の特性情報（周波数特性）の差分を算出する。
【００２８】
データベース検索部５５は、差分算出部５４によって算出された差分データに最も近い差分データを差分データベース（ＤＢ）５５Ａから検索する。この差分データベース５５Ａには、携帯端末装置９０との位置関係が既知である音源から測定音を出力した状態で、携帯端末装置９０の姿勢を変更しながら、携帯端末装置９０に備わったマイクロホンにより集音された音の特性情報（周波数特性）を測定し、２つの姿勢に対応した特性情報の差分を算出する処理を、２つの姿勢の組み合わせを変更して行った結果が格納されている。この差分データベース５５Ａは、例えばハードディスク装置４０に格納されている。
【００２９】
音源方向特定部５６は、データベース検索部５５によって検索された差分データに対応して既知の位置関係を有する音源（スピーカ２２ＦＲ）の方向を特定する。
【００３０】
音響特性決定部５８は、音源方向特定部５６によって特定された音源の方向に基づいて、差分データベースの中から最も近い差分データに対応する特性情報を特定し、この特性情報を用いて、音響空間内（車両の室内空間内）に配置された携帯端末装置９０の位置を聴取位置としたときのその位置での音響特性を決定する。
【００３１】
補正特性決定部５９は、音響特性決定部５８によって決定された音響特性に基づいて、スピーカ２２ＦＲから出力するオーディオ音に対する補正特性を決定する。
【００３２】
上述した情報取得部５３が特性取得手段に、差分算出部５４が差分算出手段に、差分データベース５５Ａが差分データ格納手段に、データベース検索部５５が差分データ検索手段に、音源方向特定部５６が音源方向特定手段に、音響特性決定部５８が音響特性決定手段に、補正特性決定部５９が補正特性決定手段にそれぞれ対応する。
【００３３】
図２は、携帯端末装置９０の構成を示す図である。図２に示すように、本実施形態の携帯端末装置９０は、一般にスマートフォンと称されるものであり、携帯電話機と携帯情報端末の機能を有する。この携帯端末装置９０は、制御部１００、操作部１１０、表示部１１２、デジタル−アナログ変換器（Ｄ／Ａ）１１４、スピーカ１１６、マイクロホン１１８、アナログ−デジタル変換器（Ａ／Ｄ）１２０、ＧＰＳ（Global Positioning System）受信機１３０、姿勢センサ１３２、電話処理部１４０、ブルートゥース・インタフェース部（ＢＴ  Ｉ／Ｆ）１５０を備えている。
【００３４】
制御部１００は、携帯端末装置９０の全体を制御するためのものであり、ＣＰＵ、ＲＡＭ、ＲＯＭなどを含んで構成され、ＲＡＭやＲＯＭに格納されたプログラムやメモリ（図示せず）に格納された各種のアプリケーションプログラムを実行することにより各種の動作を行う。
【００３５】
操作部１１０は、テンキーやその他のキーおよび各種のスイッチを含んでおり、利用者の操作指示や各種の入力を受け付ける。タッチパネルで構成した操作部１１０を用いて、画面に表示したテンキー等を利用者が指等で指し示すようにしてもよい。表示部１１２は、ＬＣＤ（液晶表示装置）等で構成されており、操作部１１０を用いた操作内容や制御部１００による制御内容および処理内容（地図表示等）などが表示される。
【００３６】
デジタル−アナログ変換器１１４は、携帯端末装置９０を電話機として使用した際の音声データや、測定音データをアナログ信号に変換してスピーカ１１６から出力する。マイクロホン１１８は、周囲の音声や車載装置１のスピーカ２２ＦＲから出力される測定音を集音する。集音した音声や測定音は、アナログ−デジタル変換器１２０によってデジタルデータに変換される。
【００３７】
ＧＰＳ受信機１３０は、複数のＧＰＳ衛星から送信される信号を受信し、自装置の位置（自車位置）を示す測位データを所定の時間間隔で出力する。姿勢センサ１３２は、携帯端末装置９０の姿勢を検出するセンサであって、具体的には３軸センサが用いられる。例えば、携帯端末装置９０の筐体を薄型の直方体としたときに、対向する各面に平行にＸ軸、Ｙ軸、Ｚ軸を設定し、それぞれの軸周りの角度（図３に示した例では、Ｘ軸周りのピッチ、Ｙ軸周りのロール、Ｚ軸周りのヨー）が検出される。
【００３８】
電話処理部１４０は、携帯電話機としての処理を行う。例えば、電話処理部１４０は、基地局との間で発着信処理を行って通話処理やインターネット接続処理等を行う。ブルートゥース・インタフェース部１５０は、ブルートゥースによって携帯端末装置９０と車載装置１との間で各種データの送受信を行う通信装置（ブルートゥース機器）である。
【００３９】
また、上述した制御部１００は、周囲のブルートゥース機器の検索やペアリングを行うとともに、携帯端末装置９０の姿勢の検出や測定音の集音、特性情報の作成を行い、それらの結果を車載装置１に送信するために、ＢＴ処理部１０１、姿勢検出部１０２、測定音集音部１０３、特性情報作成部１０４、情報送信部１０５を有する。
【００４０】
ＢＴ処理部１０１は、車載装置１との間でブルートゥースによるデータの送受信を行うために必要な設定、例えばペアリング設定などを行う。
【００４１】
姿勢検出部１０２は、姿勢センサ１３２の出力に基づいて、携帯端末装置９０の姿勢を検出し、この検出結果が含まれる姿勢情報を作成する。
【００４２】
測定音集音部１０３は、車載装置１のスピーカ２２ＦＲから出力される測定音をマイクロホン１１８で集音する。
【００４３】
特性情報作成部１０４は、測定音集音部１０３によって集音した測定音に基づいて、この測定音の特性情報を作成する。具体的には、一定時間集音した測定音の周波数特性が作成される。
【００４４】
情報送信部１０５は、姿勢検出部１０２によって作成された姿勢情報と、特性情報作成部１０４によって作成された特性情報とをブルートゥースによって車載装置１に向けて送信する。
【００４５】
本実施形態の車載システムはこのような構成を有しており、次に、車載装置１と携帯端末装置９０とを連携させて、携帯端末装置９０が配置された利用者の聴取位置における音響特性等を決定する動作を説明する。
【００４６】
図３は、車載装置１で用いられる差分データベース５５Ａの作成方法を示す図である。図３に示すスピーカＳＰと携帯端末装置９０は、互いの位置関係が既知であって、無響室内に配置されている。そして、スピーカＳＰから可聴帯域内の全ての周波数成分を含む測定音が出力され、携帯端末装置９０に備わったマイクロホン１１８（図２）で集音した結果に基づいて周波数特性が算出される。このような測定音の出力、集音および周波数特性の算出が、携帯端末装置９０の姿勢を変更しながら行われる。例えば、携帯端末装置９０の姿勢を３軸周りの角度（Ｘ軸周りのピッチ、Ｙ軸周りのロール、Ｚ軸周りのヨー）で表するものとすると、ピッチ、ロール、ヨーのそれぞれを１０°（あるいは１５°）ずつずらしながら、測定音の出力、集音および周波数特性の算出が行われる。さらに、このようにして得られた２つの周波数特性が取り出され、その差分が算出される。この算出によって得られる差分データは、２つの周波数特性の組み合わせに対応する数だけ存在し、各差分データとその算出の元となった周波数特性と各周波数特性に対応する姿勢情報とが一組となって差分データベース５５Ａが作成される。このようにして予め作成された差分データベース５５Ａが車載装置１のハードディスク装置４０に格納されている。
【００４７】
図４は、一組の周波数特性を示す図である。図４（Ａ）は、姿勢ａ（例えば、ロール＝０°、ピッチ＝０°、ヨー＝０°）のときの周波数特性であり、横軸が周波数を、縦軸が各周波数成分の信号強度を示している。また、図４（Ｂ）は、姿勢ｂ（例えば、ロール＝０°、ピッチ＝０°、ヨー＝９０°）のときの周波数特性であり、横軸が周波数を、縦軸が各周波数成分の信号強度を示している。
【００４８】
図５は、図４に示した一組の周波数特性の差分を示す図である。図５に示す差分データは、横軸が周波数を、縦軸が信号強度の差分値を示している。図５に示す差分データが、図４に示す一組の周波数特性とそれぞれに対応する姿勢ａ、ｂとともに差分データベース５５Ａに格納される。
【００４９】
図６は、車載装置１において音響特性を決定する動作手順を示す流れ図である。この動作手順を開始する時点で、携帯端末装置９０は、利用者によって聴取位置（例えば、顔や耳の位置）に保持されているものとする。
【００５０】
まず、測定音出力部５２は、姿勢Ａを維持して携帯端末装置９０の準備が完了したか否かを判定する（ステップ１００）。本実施形態では、周波数特性を取得する携帯端末装置９０の一方の姿勢をＡ、他方の姿勢をＢとする。姿勢Ａの準備が終了するまで否定判断が行われ、この判定が繰り返される。また、姿勢Ａの準備が完了するとステップ１００の判定において肯定判断が行われる。
【００５１】
また、測定音出力部５２は、スピーカ２２ＦＲから所定の測定音を出力する（ステップ１０２）。その後、情報取得部５３は、携帯端末装置９０から送られてくる姿勢Ａに対応する姿勢情報と特性情報をブルートゥースによって受信して取得する（ステップ１０４）。
【００５２】
その後、姿勢Ｂについて同様の動作が行われる。すなわち、測定音出力部５２は、姿勢Ｂを維持して携帯端末装置９０の準備が完了したか否かを判定する（ステップ１０６）。姿勢Ｂの準備が終了するまで否定判断が行われ、この判定が繰り返される。また、姿勢Ｂの準備が完了するとステップ１０６の判定において肯定判断が行われる。次に、測定音出力部５２は、スピーカ２２ＦＲから所定の測定音を出力する（ステップ１０８）。また、情報取得部５３は、携帯端末装置９０から送られてくる姿勢Ｂに対応する姿勢情報と特性情報をブルートゥースによって受信して取得する（ステップ１１０）。
【００５３】
次に、差分算出部５４は、ステップ１０４、１１０で取得した２種類の特性情報（周波数特性）の差分を算出する（ステップ１１２）。また、データベース検索部５５は、差分算出部５４によって算出された差分データに最も近い差分データを差分データベース５５Ａから抽出する（ステップ１１４）。
【００５４】
次に、音源方向特定部５６は、データベース検索部５５によって検索された差分データに対応して既知の位置関係を有する音源（スピーカ２２ＦＲ）の方向を特定する（ステップ１１６）。図３に示したように、この差分データを作成するために用いられた２種類の姿勢ａ、ｂとスピーカＳＰとの関係は予めわかっているため、用いる差分データを特定することができれば、スピーカ２２ＦＲに対応する携帯端末装置９０の姿勢ａ、ｂ、すなわち携帯端末装置９０から見た音源（スピーカ２２ＦＲ）の方向を知ることができる。また、この差分データを算出するために用いられた一方の周波数特性が姿勢ａに対応するものであり、他方の周波数特性が姿勢ｂに対応するものであることが特定できる。これらの周波数特性は、姿勢ａ、ｂのそれぞれにおけるマイクロホン１１８の指向性を示すものであり、マイクロホン１１８の指向性に伴って姿勢ａ、ｂのそれぞれにおける各周波数成分の減衰の程度を知ることができる。
【００５５】
次に、音響特性決定部５８は、音源方向特定部５６によって特定された音源の方向に基づいて、差分データベース５５Ａの中から最も近い差分データに対応する特性情報（周波数特性）を特定し、この周波数特性を用いて、音響空間内に配置された携帯端末装置９０の位置を聴取位置としたときのその位置での音響特性を決定する（ステップ１１８）。
【００５６】
上述したように、差分データベース５５Ａの中から特定された最も近い差分データに対応する姿勢ａ、ｂの周波数特性は、それぞれの姿勢における各周波数成分の減衰の程度を示すものである。一方、ステップ１０４、１１０において取得された周波数特性は、マイクロホン１１８の指向性に起因する減衰に加え、車室内空間を形成する壁面や座席等による影響などのその他の要因も加味されたものといえる。したがって、ステップ１０４、１１０において取得された周波数特性に対して、各姿勢における各周波数成分の減衰の程度を打ち消すように補正を行うことにより、実際の音響空間内での聴取位置における音響特性を決定することができる。
【００５７】
次に、補正特性決定部５９は、音響特性決定部５８によって決定された音響特性に基づいて、スピーカ２２ＦＲから出力するオーディオ音に対する補正特性を決定する（ステップ１２０）。この補正特性とは、マイクロホン１１８の指向性以外の要因による周波数特性の減衰等を打ち消すための特性であり、ステップ１１８で特定された音響特性を各周波数成分がフラットな周波数特性に戻すためのフィルタ特性に相当する。このような補正特性を決定することができれば、実際の音響空間毎の違いを相殺して理想的な音場を実現することが可能となる。
【００５８】
図７は、携帯端末装置９０の動作手順を示す流れ図である。まず、姿勢検出部１０２は、姿勢センサ１３２の出力に基づいて、姿勢Ａの準備が完了したか否かを判定する（ステップ２００）。例えば、利用者が携帯端末装置９０を姿勢Ａで保持して操作部１１０を用いて所定の操作を行ったときに姿勢Ａの準備が完了したものとする。準備が完了していない場合には否定判断が行われ、この判定が繰り返される。また、姿勢Ａの準備が完了するとステップ２００の判定において肯定判断が行われる。この場合には、姿勢検出部１０２は、姿勢Ａの準備が完了した旨をブルートゥースによって車載装置１に通知する（ステップ２０２）。
【００５９】
次に、姿勢検出部１０２は、姿勢センサ１３２の出力に基づいて、携帯端末装置９０の姿勢を検出し（ステップ２０４）、この検出結果が含まれる姿勢情報を作成する（ステップ２０６）。
【００６０】
また、測定音集音部１０３は、車載装置１のスピーカ２２ＦＲから出力される測定音をマイクロホン１１８で集音する（ステップ２０８）。特性情報作成部１０４は、測定音集音部１０３によって集音した測定音に基づいて、この測定音の特性情報を作成（周波数特性を算出）する（ステップ２１０）。その後、情報送信部１０５は、姿勢検出部１０２によって作成された姿勢情報と、特性情報作成部１０４によって作成された特性情報とをブルートゥースによって車載装置１に向けて送信する（ステップ２１２）。
【００６１】
その後、姿勢Ｂについて同様の動作が行われる。すなわち、姿勢検出部１０２は、姿勢センサ１３２の出力に基づいて、姿勢Ｂの準備が完了したか否かを判定する（ステップ２１４）。例えば、利用者が携帯端末装置９０を姿勢Ｂで保持して操作部１１０を用いて所定の操作を行ったときに姿勢Ｂの準備が完了したものとする。準備が完了していない場合には否定判断が行われ、この判定が繰り返される。また、姿勢Ｂの準備が完了するとステップ２１４の判定において肯定判断が行われる。この場合には、姿勢検出部１０２は、姿勢Ｂの準備が完了した旨をブルートゥースによって車載装置１に通知する（ステップ２１６）。
【００６２】
次に、姿勢検出部１０２は、姿勢センサ１３２の出力に基づいて、携帯端末装置９０の姿勢を検出し（ステップ２１８）、この検出結果が含まれる姿勢情報を作成する（ステップ２２０）。
【００６３】
また、測定音集音部１０３は、車載装置１のスピーカ２２ＦＲから出力される測定音をマイクロホン１１８で集音する（ステップ２２２）。特性情報作成部１０４は、測定音集音部１０３によって集音した測定音に基づいて、この測定音の特性情報を作成（周波数特性を算出）する（ステップ２２４）。その後、情報送信部１０５は、姿勢検出部１０２によって作成された姿勢情報と、特性情報作成部１０４によって作成された特性情報とをブルートゥースによって車載装置１に向けて送信する（ステップ２２６）。
【００６４】
このように、本実施形態の車載システムでは、携帯端末装置９０のマイクロホン１１８で集音した音の特性情報の２つの姿勢間の差分を算出し、携帯端末装置９０との位置関係が既知である音源を用いた同種の差分データの中から近いものを抽出することにより、音響空間内に配置された携帯端末装置９０に対する音源（スピーカ２２ＦＲ）の方向を特定することができるため、マイクロホン１１８の指向性による影響を取り除くことができ、携帯端末装置９０の向きに起因する音響特性の測定精度の低下を抑制することができる。
【００６５】
また、スピーカ２２ＦＲから出力される測定音と、差分データベース５５Ａに格納された差分データの算出を行うために用いられる測定音は、可聴帯域内の全ての周波数成分を含んでいる。これにより、音源の方向がわかったときに、携帯端末装置９０の向きによって変化する特性（指向性）を無響室での測定結果から得ることができるため、携帯端末装置９０に組み込まれたマイクロホン１１８の実際の指向性を知ることができ、携帯端末装置９０の向きに起因する音響特性の測定精度の低下をさらに抑制することができる。
【００６６】
また、音響特性決定部５８によって決定された音響特性に基づいて、スピーカ２２ＦＲから出力するオーディオ音に対する補正特性を決定する補正特性決定部５９を備えている。特に、この補正特性を、スピーカ２２ＦＲから聴取位置に到達するまでに発生する周波数成分の減衰分を補償する特性とすることにより、聴取位置において理想的な音響特性を実現することが可能となる。
【００６７】
なお、本発明は上記実施形態に限定されるものではなく、本発明の要旨の範囲内において種々の変形実施が可能である。例えば、上述した実施形態では、車室内空間における聴取位置の音響特性や、聴取位置において理想的な音響特性を実現するために必要な補正特性を求めるようにしたが、携帯端末装置９０に対する音源（スピーカ２２ＦＲ）の向きがわかることから、これらの間の距離を求めることで、車室内空間における携帯端末装置９０の位置（聴取位置）を決定するようにしてもよい。
【００６８】
図８は、聴取位置決定に必要な車載装置１内の制御部の変形例を示す図である。図８に示す制御部５０Ａは、図１に示した制御部５０に対して、時刻設定部６０、到達時刻取得部６１、距離算出部６２、聴取位置決定部６３が追加された点が異なっている。その他の構成は、図１に示した車載装置１と同じであり、詳細な説明は省略する。
【００６９】
時刻設定部６０は、車載装置１の動作と携帯端末装置９０の動作を、時刻同期したタイミングで行うために、これらの動作に共通の時刻を設定する。例えば、ＧＰＳ受信機１２によってＧＰＳ衛星から受信した信号に含まれる時刻情報に同期するように時刻の設定が行われる。
【００７０】
到達時刻取得部６１は、スピーカ２２ＦＲから出力された測定音が携帯端末装置９０に到達した時刻を取得する。例えば、携帯端末装置９０から測定音の到達時刻を含む情報がブルートゥースによって送信され、この情報から到達時刻が抽出される。
【００７１】
距離算出部６２は、スピーカ２２ＦＲから出力された測定音が携帯端末装置９０に到達するまでの所要時間を取得し、この所要時間に基づいてスピーカ２２ＦＲから携帯端末装置９０までの距離を算出する。
【００７２】
聴取位置決定部６３は、距離算出部６２によって算出された距離と、音源方向特定部５６によって特定された音源（スピーカ２２ＦＲ）の方向とに基づいて、聴取位置（携帯端末装置９０の位置）を決定する。
【００７３】
図９は、聴取位置決定に必要な携帯端末装置９０内の制御部の変形例を示す図である。図９に示す制御部１００Ａは、図２に示した制御部１００に対して、時刻設定部１０６、到達時刻送信部１０７が追加された点が異なっている。その他の構成は、図２に示した携帯端末装置９０と同じであり、詳細な説明は省略する。
【００７４】
時刻設定部１０６は、車載装置１の動作と携帯端末装置９０の動作を、時刻同期したタイミングで行うために、これらの動作に共通の時刻を設定する。例えば、ＧＰＳ受信機１３０によってＧＰＳ衛星から受信した信号に含まれる時刻情報に同期するように時刻の設定が行われる。
【００７５】
到達時刻送信部１０７は、測定音集音部１０３によって集音された測定音の到達時刻を含む情報をブルートゥースによって車載装置１に向けて送信する。
【００７６】
図１０は、聴取位置までの距離算出に必要な車載装置１の動作手順を示す流れ図である。最初に、時刻設定部６０は、ＧＰＳ衛星から受信した信号に含まれる時刻情報に同期するように時刻を設定する（ステップ３００）。
【００７７】
次に、測定音出力部５２は、スピーカ２２ＦＲから、所定の時刻ｔ１に測定音を出力する（ステップ３０２）。この測定音が携帯端末装置９０に到達すると、この携帯端末装置９０からはこの測定音の到達時刻が送信され、到達時刻取得部６１は、この到達時刻を受信して取得する（ステップ３０４）。
【００７８】
次に、距離算出部６２は、スピーカ２２ＦＲから出力された測定音が携帯端末装置９０に到達するまでの所要時間を取得（算出）し、この所要時間に基づいてスピーカ２２ＦＲから携帯端末装置９０までの距離を算出する（ステップ３０６）。
【００７９】
図１１は、聴取位置までの距離算出に必要な携帯端末装置９０の動作手順を示す流れ図である。まず、時刻設定部１０６は、ＧＰＳ衛星から受信した信号に含まれる時刻情報に同期するように時刻を設定する（ステップ４００）。次に、測定音集音部１０３は、車載装置１のスピーカ２２ＦＲから出力された測定音をマイクロホン１１８で集音し（ステップ４０２）、到達時刻送信部１０７は、この測定音の到達時刻を車載装置１に向けて送信する（ステップ４０４）。
【００８０】
車載装置１の聴取位置決定部６３は、このようにして距離算出部６２によって算出された距離（図１０のステップ３０６）と、音源方向特定部５６によって特定された音源の方向（図６のステップ１１６）とに基づいて、聴取位置としての携帯端末装置９０の位置を決定することができる。これにより、指向性を有する携帯端末装置のマイクロホンを用いた場合であっても、正確な聴取位置を求めることが可能となる。
【００８１】
また、上述した実施形態では、差分を算出する対象となる２つの特性情報として周波数特性を用いたが、その他の特性情報を用いるようにしてもよい。例えば、周波数特性の代わりに位相特性を用いるようにしてもよい。図１２は、位相特性の一例を示す図である。図１２において、横軸は経過時間を、縦軸は信号強度を示している。また、図１３は、２つの位相特性の差分を算出した結果を示す図である。図１３において、横軸は経過時間を、縦軸は信号強度の差分値を示している。
【００８２】
また、上述した実施形態では、車両の室内空間を音響空間として本発明を適用したが、屋内の室内空間を音響空間とする場合や、屋外その他の音響空間についても本発明を適用して、特定の聴取位置における音響特性等を決定するようにしてもよい。
【産業上の利用可能性】
【００８３】
上述したように、本発明によれば、携帯端末装置のマイクロホンで集音した音の特性情報の２つの姿勢間の差分を算出し、携帯端末装置との位置関係が既知である音源を用いた同種の差分データの中から近いものを抽出することにより、音響空間内に配置された携帯端末装置に対する音源（スピーカ）の方向を特定することができるため、マイクロホンの指向性による影響を取り除くことができ、携帯端末装置の向きに起因する音響特性の測定精度の低下を抑制することができる。
【符号の説明】
【００８４】
１  車載装置
１２、１３０  ＧＰＳ受信機
２２ＦＲ、２２ＦＬ、２２ＲＲ、２２Ｒ、１１６  スピーカ
５０、１００  制御部
７０、１５０  ブルートゥース・インタフェース部（ＢＴ  ＩＦ）
５１、１０１  ＢＴ（ブルートゥース）処理部
５２  測定音出力部
５３  情報取得部
５４  差分算出部
５５  データベース（ＤＢ）検索部
５６  音源方向特定部
５８  音響特性決定部
５９  補正特性決定部
６０、１０６  時刻設定部
６１  到達時刻取得部
６２  距離算出部
６３  聴取位置算出部
９０  携帯端末装置
１１８  マイクロホン
【図１】
0006532284.tif 000002
【図２】
0006532284.tif 000003
【図３】
0006532284.tif 000004
【図４】
0006532284.tif 000005
【図５】
0006532284.tif 000006
【図６】
0006532284.tif 000007
【図７】
0006532284.tif 000008
【図８】
0006532284.tif 000009
【図９】
0006532284.tif 000010
【図１０】
0006532284.tif 000011
【図１１】
0006532284.tif 000012
【図１２】
0006532284.tif 000013
【図１３】
0006532284.tif 000014